(57)【要約】【課題】小型の容器の使用を可能とする新規な塗布剤塗布用補助具を提供すること。【解決手段】本発明は、塗布剤を収容した容器（１００）を保持する保持部（１２）と、グリップ部（１４）とを備える塗布剤塗布用補助具（１０）に関し、この補助具は、保持部となる第１部分（１６）と、第１部分に連設された第２部分（１８）とを有する１枚のシート材から形成される。第１部分には、第１〜第３の切込み線（２０，２２，３０）が形成されており、第１及び第２の切込み線間の領域（２８）を引き出すことによって、容器の胴部（１１０）を保持する保持リングが形成される。また、第３の切込み線（３０）を起点とした第１及び第２の折り線（３２，３４）が第２部分に延設されている。第１及び第２の折り線に沿って第２部分を折り曲げると、グリップ部が形成されると共に、容器の底面を支える段差が形成される。【選択図】図１
2019115572.tif 000002
【特許請求の範囲】
【請求項１】
塗布剤を収容した容器を保持する保持部と、前記保持部から延びるグリップ部とを備える塗布剤塗布用補助具であって、
当該塗布剤塗布用補助具が、前記保持部となる第１部分と、前記第１部分に連設された、前記グリップ部となる第２部分とを有する１枚のシート材から形成されており、
前記第１部分には、互いに実質的に同方向に延び且つ両端が閉じている第１、第２及び第３の切込み線が形成されており、
前記第１及び第２の切込み線の間の領域を他の領域から引き出すことによって、前記容器の胴部を囲んで保持する保持リングが形成されるようになっており、
前記第３の切込み線が前記第１及び第２の切込み線よりも前記第２部分の近傍に配置されており、
前記第３の切込み線を起点とした第１及び第２の折り線が、前記第１部分から離れる方向に前記第２部分を延びており、
前記第１及び第２の折り線に沿って前記第２部分を折り曲げることによって前記グリップ部が形成されるようになっている、塗布剤塗布用補助具。
【請求項２】
前記第１及び第２の切込み線の長さを可変とする手段が設けられている、請求項１に記載の塗布剤塗布用補助具。
【請求項３】
前記第２部分を折り曲げることによって前記グリップ部が筒状とされ、該筒状を維持するための手段が設けられている、請求項１又は２に記載の塗布剤塗布用補助具。
【発明の詳細な説明】
【技術分野】
【０００１】
本発明は、液状鎮痛消炎剤、液状鎮痒消炎剤その他の液状塗布剤の塗布を容易にするための塗布剤塗布用補助具に関する。
【背景技術】
【０００２】
従来から、肩こり、腰痛、筋肉痛、筋肉疲労、関節痛、痒み等の改善を目的として、液状鎮痛消炎剤、液状鎮痒消炎剤その他の液状塗布剤を患部に塗布することが知られている。通常、この液状の塗布剤は、下記特許文献１に記載されているようなプラスチック製の容器に収容され、使用する際には、容器の胴部を手で把持し、容器先端の口部に取り付けられたスポンジや転動ボール等を通して患部に塗布剤を塗布することとしている。
【０００３】
しかしながら、従来一般の容器は、その全長が短いため、背中等、容器口部が届かない部位に塗布剤を塗布することが困難な場合があった。
【０００４】
そこで、従来においては、例えば下記特許文献２に記載されているように、容器の全長を長くして、容器口部が届く範囲を広げるという手段が提案されている。
【先行技術文献】
【特許文献】
【０００５】
【特許文献１】特開２００７−１５２１３８号公報
【特許文献２】特開２０１７−１７６４８１号公報
【発明の概要】
【発明が解決しようとする課題】
【０００６】
しかし、特許文献２に開示されているような容器の場合、大型であり、重量も大きくなるため、手で把持して容器を取り扱うことが困難となる。
【０００７】
そこで、本発明は、前述した問題を解消するために、小型の一般的な容器の使用を可能とする塗布剤塗布用補助具を提供することを目的としている。
【課題を解決するための手段】
【０００８】
上記目的を達成するために、本発明によれば、塗布剤を収容した容器を保持する保持部と、この保持部から延びるグリップ部とを備える塗布剤塗布用補助具が提供される。この塗布剤塗布用補助具は、保持部となる第１部分と、第１部分に連設された、グリップ部となる第２部分とを有する紙等の１枚のシート材から形成されている。第１部分には、互いに実質的に同方向に延び且つ両端が閉じている第１、第２及び第３の切込み線が形成されており、第１及び第２の切込み線の間の領域を他の領域から引き出すことによって、塗布剤入りの容器の胴部を囲んで保持する保持リングが形成されるようになっている。また、第３の切込み線は第１及び第２の切込み線よりも第２部分の近傍に配置されており、第３の切込み線を起点とした第１及び第２の折り線が、第１部分から離れる方向に第２部分に延設されている。これらの第１及び第２の折り線に沿って第２部分を折り曲げると、グリップ部が形成される。
【０００９】
また、第１及び第２の切込み線の端部の長さを可変とする手段、例えばミシン目を設けることが有効である。種々の容器胴部の周囲長さに対応するためである。
【００１０】
さらに、第２部分を折り曲げることによってグリップ部を筒状とすることが、握り易さの点から好ましく、その場合、該筒状を維持するための手段を設けることが有効である。その手段としては、例えば第２部分の一側の縁部に凸状の係止片を形成して、その係止片を受ける入れるスリットを他側に形成することが考えられる。
【発明の効果】
【００１１】
本発明による塗布剤塗布用補助具は、小型の塗布剤入れ容器を保持した状態で、グリップ部を握って容器先端の口部を手の届かない部位に配することができるので、塗布剤の塗布を補助することが可能となる。
【００１２】
したがって、上述した特許文献２に記載されているような大型の容器を使用する場合の不具合を解消することができる。
【００１３】
また、１枚のシート材から組み立てることができるため、補助具自体も軽量で、取扱いが容易である。
【００１４】
さらに、第３の切込み線を起点とした第１及び第２の折り線が、第１部分から離れる方向に第２部分に延設されているが、これらの第１及び第２の折り線に沿って第２部分を折り曲げた場合、第１及び第２の折り線間の第３の切込み線は直線を維持する。一方、第１及び第２の折り線の外側の領域が折り曲げられると、それに伴って第１部分が湾曲するため、第３の切込み線が第１部分の内面よりも内側に突出し、これが容器の底面を支持する機能を果たす。
【図面の簡単な説明】
【００１５】
【図１】本発明の一実施形態に係る塗布剤塗布用補助具の使用状態を示す斜視図である。
【図２】図１の塗布剤塗布用補助具の組立て前の状態を示す正面図である。
【図３】図１の塗布剤塗布用補助具の組立て前の状態を示す斜視図である。
【図４】図１の塗布剤塗布用補助具の組立て途中の状態を示す斜視図である。
【図５】図４の状態の塗布剤塗布用補助具に塗布剤入れ容器を取り付けたところを示す斜視図である。
【図６】本発明による塗布剤塗布用補助具の使用状態を示す概略図である。
【発明を実施するための形態】
【００１６】
以下、図面を参照しながら、本発明による塗布剤塗布用補助具（以下、単に「補助具」とも称する）の好適な実施形態について詳細に説明する。尚、図中、同一又は相当部分には同一符号を付し、その詳細な説明は省略する。
【００１７】
図１〜図４は、本発明の一実施形態による塗布剤塗布用補助具１０を示している。図１に示すように、補助具１０は、液状鎮痛消炎剤、液状鎮痒消炎剤その他の液状塗布剤を収容する容器１００の胴部１１０を保持する保持部１２と、この保持部１２から一体的に延びるグリップ部１４とから構成されている。なお、本実施形態で使用する容器１００は、従来一般の小型のものであるが、胴部１１０と、その先端に設けられた塗布部となる口部１２０とを有する型式のものであれば、どのようなものでもよい。
【００１８】
図２及び図３は、それぞれ、塗布剤塗布用補助具１０の組立て前の状態を示す正面図及び斜視図であり、図４は組立て途中を示す斜視図である。これらの図から理解されるとおり、補助具１０は、紙やプラスチック、好ましくポリプロピレン等で表面処理された厚紙からなる折曲げ可能な１枚シート材から形成され、組立て前にあっては平坦状となっている。紙等のシート材からなるため、この補助具１０は軽量であり、嵩も張らず、使用しない時の収納等に便利である。また、このシート材は、以下でも説明するが、容器１００の胴部１１０を保持することができる程度の剛性を有すると共に、保持力を上げるためにある程度の弾性を有することが好適である。
【００１９】
図２及び図３に示す状態の塗布剤塗布用補助具１０は、軸線Ａの方向に長い平坦な形状となっている。以下、この軸線Ａを中心軸線という。図２及び図３に示す形状において、補助具１０は、中心軸線Ａの一端側（図２の左側）の部分（以下「第１部分」と称する）１６と、この第１部分１６に連設された他側の部分（以下「第２部分」と称する）１８とから構成されている。
【００２０】
第１部分１６は、図１のように組み立てられた後は容器１００を保持する保持部１２となるものである。第１部分１６は第２部分１８よりも幅（中心軸線Ａに直交する方向Ｂの長さ）が狭くなっており、略矩形をなしているが、形状はこれに限定されるものではない。この略矩形の第１部分１６には、方向Ｂに平行な第１及び第２の切込み線２０，２２が形成されている。これらの切込み線２０，２２は両端が閉じられ、略同一の長さとなっている。この長さは、保持すべき容器１００の胴部の１１０の周囲長さの概ね半分の長さとされている。
【００２１】
切込み線２０，２２の同側の端部同士の間には折り線２４，２６が形成されている。これらの切込み線２０，２２と折り線２４，２６とにより囲まれている領域２８を他の領域から引き出すと（図３において上方）、図４に示すように、領域２８はリング状となり、このリング状領域２８が容器１００の胴部１１０を囲んで保持する保持リング２８となる。なお、図示のように、切込み線２０，２２を幅広にしておくと、領域２８を引き出す際に他の領域に引っ掛らず、円滑な領域２８の引出しが可能となり、好ましい。
【００２２】
また、第１部分１６には、切込み線２０，２２よりも第２部分１８に近い箇所に、方向Ｂと略平行な第３の切込み線３０が形成されている。この切込み線３０も第１及び第２の切込み線２０，２２と同様に、両端が閉じられているが、図示実施形態では切込み線２０，２２よりも短いものとなっている。
【００２３】
一方、第２部分１８には、中心軸線Ａを挟んで２本ずつ、計４本の折り線３２，３４，３６，３８が形成されており、これらの折り線３２，３４，３６，３８は中心軸線Ａに概ね沿って延びている。今、便宜上、内側の折り線３２，３４を第１及び第２の折り線と称し、外側の折り線３６，３８を第３及び第４の折り線と称することとする。これらの第１〜第４の折り線３２，３４，３６，３８は互いに平行な直線でもよいが、図示実施形態では、各折り線３２，３４，３６の中間部分が中心軸線Ａに近づくよう湾曲されている。
【００２４】
図示実施形態では、第１及び第２の折り線３２，３４はそれぞれ第３の切込み線３０の各端部を起点として延びている。また、第３及び第４の折り線３６，３８は第１部分１６と第２部分との境界点を起点として延びている。
【００２５】
第１〜第４の折り線３２，３４，３６，３８に沿って第２部分１８を折り曲げると、図１に示すような角筒状部分が形成され、この角筒状部分を手で把持するためのグリップ部１４として使用することが可能となる。図示実施形態では、折り線３２，３４，３６，３８が湾曲されているため、角筒状のグリップ部１４は、中心軸線Ａに沿う中間点の断面積が小さくなる。これによって、グリップ部１４を握りやすくなっている。
【００２６】
なお、第２部分１８の一側の縁部に形成されている凸状の係止片４０を、他側の第３の折り線３６に形成されたスリット４２に挿入することで、角筒状態を維持することが可能となる。なお、角筒状態を維持するためには、接着剤で固定する等、種々の周知手段を適用することが可能なことは言うまでもない。
【００２７】
次に、上述したような構成の塗布剤塗布用補助具１０の作用及び使用方法について、図５及び図６も参照して説明する。
【００２８】
まず、図４に示すように、第２部分１８を湾曲させつつ、第１部分１６における第１及び第２の切込み線２０，２２間の領域２８を、第２部分１８の折曲げ方向と同方向に引き出す。領域２８を引き出すと、その領域が保持リング２８となる。そこで、この保持リング２８の内側に形成される空間に塗布剤入り容器１００の胴部１１０を挿入して保持させる（図５参照）。この保持リング２８による保持力を確保するために、前述したように、塗布剤塗布用補助具１０を構成するシート材は、適度な弾性と剛性を有することが好ましい。
【００２９】
また、第２部分１８を湾曲させることで、第１部分１６も、第１及び第３の折り線３２，３６間の領域４４と第２及び第４の折り線３４，３８間の領域４６の動きに伴って湾曲される。一方、第１及び第２の折り線３２，３４間の領域４８は概ね平坦な状態を維持するため、第３の切込み線３０は湾曲されず、直線状を維持する。このため、第３の切込み線３０、すなわち第１及び第２の折り線３２，３４間の領域４８の端縁は、第１部分１６の内面よりも内側に突出した状態になる。その結果、第１部分１６の内面と領域４８の端縁との間に段差が形成され、保持リング２８に挿入された塗布剤入り容器１００の底面をこの段差で支えることができ、より一層確実に容器１００を補助具１０にて保持することが可能となる。ここで特に留意すべき点は、前述した段差が、第２部分１８を折り線に沿って折り曲げるだけで自動的に形成される点であり、これにより使用者は、容器１００の保持を確実にする補助具１０を容易に組み立てることができる点である。
【００３０】
次いで、第２部分１８を第１〜第４の折り線３２，３４，３６，３８に沿って折り曲げ、スリット４２に係止片４０を挿入して、角筒状のグリップ部１４を形成する。このグリップ部１４を手である程度の力で握っても潰れないようにするため、塗布剤塗布用補助具１０を構成するシート材は、相応の剛性が必要とされる。
【００３１】
この後、使用者は、図１に示すように容器１００の蓋を外し、グリップ部１４を握って補助具１０を操作して、例えば肩甲骨周辺などの手の届きにくい部位を容器１００の先端の口部１２０を押し付け、口部１２０のスポンジや転動ボール等を通して液状の塗布剤をその部位に塗布する（図６参照）。この際、補助具１０は軽量であるので、その操作は容易となる。また、一般的な小型の容器１００を使用することができるので、上述した特許文献２に記載されているように大型の容器よりも取扱いが容易となり、その塗布補助機能は極めて優れている。しかも、特許文献２に記載されている容器の場合、その容量が大きくなるため、塗布剤を使い切るには時間がかかり、使用期限を越えてしまうおそれがあるが、小型の容器１００を使用することのできる本発明による補助具１０にはそのような不具合はない。
【００３２】
以上、本発明の好適な実施形態について詳細に説明したが、本発明は上記実施形態に限定されないことは言うまでもない。例えば、上記実施形態では、容器１００を保持する保持リング２８を形成するための第１及び第２の切込み線２０，２２の長さは不変である、これらの切込み線２０，２２の端部をミシン目にして、その長さを可変にし得るよう構成すれば、一つの補助具１０で胴部１１０の寸法が異なる複数種類の容器１１０にも対応することが可能となる。
【００３３】
また、第２部分１８を折り曲げた際に、段差を形成するための第３の切込み線３０が直線状を維持することができればよいので、グリップ部１４の断面は多角形状である必要はなく、領域４８以外は円筒状となるような形態も考えられる。その場合、第３及び第４の折り線３６，３８は不要となる。
【００３４】
さらに、上記実施形態では、第１及び第２の折り線３２，３４はそれぞれ第３の切込み線３０の端部を起点として延びているが、第３の切込み線３０の端部以外の箇所を起点としても段差を自動的に形成する機能は損なわれない。
【符号の説明】
【００３５】
１０…塗布剤塗布用補助具、１２…保持部、１４…グリップ部、１６…第１部分、１８…第２部分、２０…第１の切込み線、２２…第２の切込み線、２４，２６…折り線、２８…領域、保持リング、３０…第３の切込み線、３２…第１の折り線、３４…第２の折り線、３６…第３の折り線、３８…第４の折り線、４０…係止片、４２…スリット、４４，４６，４８…領域。
【図１】
2019115572.tif 000003
【図２】
2019115572.tif 000004
【図３】
2019115572.tif 000005
【図４】
2019115572.tif 000006
【図５】
2019115572.tif 000007
【図６】
2019115572.tif 000008